【事件の表示】
　特許第３１６６０８６号「遊技機のデータ収集装置」の請求項１ないし２に係る特許に対する特許異議の申立てについて、次のとおり決定する。
【結　論】
　特許第３１６６０８６号の請求項１ないし２に係る特許を維持する。
【理　由】
１．手続の経緯
　本件特許第３１６６０８６号の請求項１ないし２に係る発明（以下、「本件請求項１ないし２に係る発明」という）についての出願は、平成３年１１月２７日に特許出願され、平成１３年３月９日にその発明について特許権の設定登録がなされた後、その特許について、平成１３年１１月１４日に河井清悦より特許異議の申立てがなされたものである。
　
２．本件請求項１ないし２に係る発明
　本件請求項１ないし２に係る発明は、特許明細書及び図面の記載からみて、その特許請求の範囲の請求項１ないし２に記載されたとおりの、
「【請求項１】　遊技盤の遊技部に対応した賞球数が各々設定された複数の入賞領域を形成し、各入賞領域への球の入賞に応じた数の賞球を排出可能な球排出装置を備えた遊技機に関するデータを収集するデータ収集装置であって、
　データ収集の対象である遊技機が各入賞領域へ入賞した球を個別に検出して各入賞領域毎に個別に出力する入賞球検出信号に各々対応するように設けられ、各入賞領域への入賞球を計数する入賞球計数手段と、
　上記遊技機から入力される各入賞球検出信号に対応する排出賞球数を可変設定可能な賞球数設定手段と、
　を備え、上記入賞球検出信号に基づき入賞球計数手段の計数値と上記賞球数設定手段で設定された排出賞球数とから、各入賞領域への球入賞に基づく賞球排出数の計数値である総賞球排出数を入賞領域毎に算出するようにしたことを特徴とする遊技機のデータ収集装置。
【請求項２】　上記各入賞領域毎の総賞球排出数を加算することで、データ収集対象の遊技機における総合計賞球排出数を算出するようにしたことを特徴とする請求項１に記載の遊技機のデータ収集装置」
である。
　
３．特許異議申立ての理由の概要
　特許異議申立人は、下記の証拠方法を提出し、本件請求項１ないし２に係る発明の特許は、次の理由により特許法第１１３条第２号又は第４号に該当するので、取り消されるべきである旨主張する。
（１）本件請求項１ないし２に係る発明は、甲第１ないし４号証に記載された発明に基いて当業者が容易に発明をすることができたものであるから、特許法第２９条第２項の規定に違反して特許されたものである。
（２）本件請求項１ないし２に係る発明は、発明の詳細な説明に記載されていない事項を構成要件としているので、特許法第３６条第５項の要件を満たしていない出願に対して特許されたものである。
　　　　　　　　　　　　　　　　　記
　甲第１号証：特開平２−４３９６号公報
　甲第２号証：特開平２−１４２５８５号公報
　甲第３号証：特開昭５６−７５１８５号公報
　甲第４号証：特開昭６１−２２０６８１号公報
　
４．甲号証の記載事項
（ａ）甲第１号証
　遊戯場における遊戯機の出球管理方法に関し、次の事項が記載されている。
（ａ-1）「各配列台２ａ〜２ｄに取付けられた遊戯機を構成する夫々のパチンコ機１の中央部には入賞口の１つである役物３が、また前記役物３の両側には入賞口の一つである複数の第１〜第４チャッカー５・７・９・１１が、更に前記役物３の下方には入賞口の一つである第５チャッカー１３が夫々配置されている。そして各役物３、第１〜第４チャッカー５・７・９・１１及び第５チャッカー１３には第１〜第６検出器（図示せず）が入賞球の排出通路に設けられている。」（２頁左下欄１４行〜同頁右下欄４行）、
（ａ-2）「各配列台２ａ〜２ｄにおける夫々のパチンコ機１に取付けられた各第１〜第６検出器はインターフェイス２７を介してＣＰＵ２９に接続されている。そして各役物３、第１〜第４チャッカー５・７・９・１１及び第５チャッカー１３に対して遊戯球が入賞すると、対応する第１〜第６検出器から検出信号が前記ＣＰＵ２９に入力される。」（３頁左上欄５〜１１行）、
（ａ-3）「上記状態で各配列台２ａ〜２ｄにおける夫々のパチンコ機１にて遊戯が開始され、打発された遊戯球が夫々の役物３、第１〜第４チャッカー５・７・９・１１或いは第５チャッカー１３に入賞されると、ＣＰＵ２９は対応する第１〜第６検出器からの検出信号に基づいてカウンタ領域５１ｂ・５３ｂ・５５ｂ・５７ｂのカウンタ部を順次インクリメントし、各パチンコ機１における各役物３、第１〜第４チャッカー５・７・９・１１或いは第５チャッカー１３に対する入賞球数を記憶させる。
　上記方法により各配列台２ａ〜２ｄに配列された各パチンコ機１における各役物３、第１〜第４チャッカー５・７・９・１１或いは第５チャッカー１．３に対する遊戯球の入賞球数が記憶される。」（４頁右上欄１〜１４行）、
（ａ-4）「ＣＰＵ２９は各５１ｂ・５３ｂ・５５ｂ・５７ｂのカウンタ部に記憶された各パチンコ機１に対する入賞球を加算し、各配列台２ａ〜２ｄにおけるパチンコ機１に対する入賞球数を３５に表示させる（第６図参照）。」（４頁右上欄１８行〜左下欄２行）。
（ｂ）甲第２号証
　パチンコ遊技場の持ち玉精算装置に関し、次の事項が記載されている。
（ｂ-1）「遊技制御装置３０は、・・・入賞装置部３４の各機能部を有し、入賞口１３、１４、１５、１６、可動入賞口１７、１８、特別入賞口１９およびアウト口２０から排出管２３への各連通管に、通過するパチンコ玉をそれぞれ検知するための入賞玉センサ４１、４２、４３、４４、４５、４６、４７を備え、各センサの検知信号に応じて、各機能部を制御する。」（３頁左下欄８〜１５行）、
（ｂ-2）「また遊技制御装置３０は、各入賞口への入賞に応じた入賞信号を持ち玉管理装置５０へ伝送する」（３頁右下欄２０行〜４頁左上欄１行）、
（ｂ-3）「持ち玉数ｘの演算は、玉貸制御部６０の貸玉数情報と発射玉センサ５２の検知信号と、各入賞玉センサからの検知信号により、玉貸制御部６０の貸玉数ａ、遊技制御装置３０の入賞数ｂ、入賞に基づいてあらかじめきめられた景品玉数ｃ、アウト玉数ｄ、発射玉数ｅとしたとき、
　ｘ＝ａ−ｅ＋ｂｃ
で基本的に求めることができる。」（４頁右下欄１〜８行）、
（ｂ-4）「各持ち玉管理装置５０は、パチンコ遊技場の売上管理等を行う中央コンピュータとそれぞれ接続されていて、玉貸制御部６０の入金情報、および貸し球数情報、パチンコ遊技機１０の各入賞口およびアウト口２０への入賞情報および排出玉情報を、パチンコ玉が検知される毎に中央コンピュータへ送出し、中央コンピュータで各種のデータが作成される」（５頁左上欄１４行〜同頁右上欄１行）。
（ｃ）甲第３号証
　パチンコ機の制御方法に関し、次の事項が記載されている。
（ｃ-1）「中央処理部２７は、基本的機能として、遊技球が入賞装置８に入ったときこれをセーフ球集合樋９の出口に配設されたセーフ球検出器７５によって検出し、・・・このとき中央処理部２７は出力ポート７６を介して賞球排出装置１８のドライバ７７を駆動すると共に、データメモリ２８の賞球設定数エリアに記憶されているデータを読出してこれに相当する数（例えば１５個）の賞球を排出させる。」（４頁右上欄９〜１８行）、
（ｃ-2）「中央処理部２７は、入出力ポート１１０を介しさらにデータ変換器１１１を介してデータ伝送ライン１１２に接続される。データ伝送ライン１１２は管理室に設けられた管理用コンピュータに接続され、この管理用コンピュータから設定指令信号及び設定数データが伝送されて来たとき、この設定数データをそれぞれデータメモリ２８の打止め設定数エリア、補給設定数エリア及び賞球設定数エリアにそれぞれ記憶する」（６頁右下欄１３行〜７頁左上欄１行）。
（ｄ）甲第４号証
　パチンコ機の入賞玉数管理装置に関し、次の事柄が開示されている。
（ｄ-1）「機構板７の外表面には・・・景品玉払出装置10，景品玉排出樋11・・・が設けられており、入賞玉集合部８に集められた入賞玉は１個づつ入賞玉処理装置12に導かれて景品玉払出装置10を作動させながら入賞玉排出樋13に排出されるとともに定量数の景品玉を景品玉排出樋11に排出させる。
　前記入賞球排出樋13には入賞玉検出センサ15が設けれ、アウト玉排出樋14にはアウト玉検出センサ16が設けられている。そして、入賞玉が入賞玉検出センサ15を通過したとき発生する信号およびアウト玉がアウト玉検出センサ16を通過したとき発生する信号はパチンコホールに設置された電子計算機17に主入賞玉信号およびアウト玉信号として送られ、該電子計算機17はそれぞれの信号に基いて全放出景品玉数，全打込玉数（アウト玉数）、全打込玉数と全放出景品玉数との差数などを記憶演算して表示部に可視表示し、それによって各パチンコ機の打止め時期や一日の利益率などを管理するようにしている。
　しかして本発明によれば、遊技盤２の裏面にそれぞれの入賞口３，４，５及び６に入賞した入賞玉を個々に検出する入賞玉検出センサＳ１，Ｓ２，Ｓ３及びＳ４を設ける。そして、各々の入賞玉検出センサＳ１〜Ｓ４を電子計算機17に電気的接続し、それぞれの入賞口３〜６に入賞した入賞玉がそれぞれの入賞玉検出センサＳ１〜Ｓ４を通過したとき発生する信号を電子計算機17に副入賞玉信号として送る。
　一方、電子計算機１７はそれぞれの入賞玉検出センサＳ１〜Ｓ４の信号に基いて入賞玉個数を記憶演算し、その数値を表示部に個々に可視表示させるものである。」（２頁左下欄１４行〜３頁上段左欄７行）。
　
５．対比・判断
５-1．特許法第２９条第２項違反について
５-1-1．本件請求項１に係る発明について
　本件請求項１に係る発明と甲第１号証に記載された発明とを対比すると、甲第１号証に記載された発明の「各役物３、第１〜第４チャッカー５・７・９・１１及び第５チャッカー１３」は本件請求項１に係る発明の「複数の入賞領域」に相当し、また、甲第１号証に記載された発明は、ＣＰＵ２９が各第１〜第６検出器に接続されていて各役物３、第１〜第４チャッカー５・７・９・１１及び第５チャッカー１３の入賞球数を記憶している（上記（ａ-3）参照）ので、本件請求項１に係る発明の「各入賞領域へ入賞した球を個別に検出して各入賞領域毎に個別に出力する入賞球検出信号に各々対応するように設けられ、各入賞領域への入賞球を計数する入賞球計数手段」を備えているといえる。
　そうすると、本件請求項１に係る発明と甲第１号証に記載された発明とは、遊技盤の遊技部に対応した賞球数が各々設定された複数の入賞領域を形成し、各入賞領域への球の入賞に応じた数の賞球を排出可能な球排出装置を備えた遊技機に関するデータを収集するデータ収集装置であって、データ収集の対象である遊技機が各入賞領域へ入賞した球を個別に検出して各入賞領域毎に個別に出力する入賞球検出信号に各々対応するように設けられ、各入賞領域への入賞球を計数する入賞球計数手段を備えた遊技機のデータ収集装置で一致し、
（１）本件請求項１に係る発明は、「遊技機から入力される各入賞球検出信号に対応する排出賞球数を可変設定可能な賞球数設定手段」を備えているのに対して、甲第１号証に記載された発明は、前記構成を備えていない点。
（２）本件請求項１に係る発明は、「入賞球検出信号に基づき入賞球計数手段の計数値と上記賞球数設定手段で設定された排出賞球数とから、各入賞領域への球入賞に基づく賞球排出数の計数値である総賞球排出数を入賞領域毎に算出する」のに対して、甲第１号証に記載された発明は、総賞球排出数を入賞領域毎に算出していない点。
で相違する。
　まず、上記相違点（１）について検討すると、
　甲第３号証には、中央処理部２７が、管理用コンピュータからの設定指令信号及び設定数データによってデータメモリ２８の賞球設定数エリアに記憶されているデータを変更できる構成は記載されているが、パチンコ機１の賞球数を変更するものであり、遊技機の種類に関係なく賞球数のデータを正確に収集するために排出賞球数を可変するものではないから、甲第３号証に、相違点（１）における、本件請求項１に係る発明の構成が記載されているとはいえない。
　次に、上記相違点（２）について検討すると、
　甲第２号証には、持ち玉数ｘを
　式：玉貸制御部６０の貸玉数ａ−発射玉数ｅ＋（入賞数ｂ）＊（景品玉数ｃ）
によって求めることが記載されているが、この持ち玉数ｘは、遊技者が現在保有している玉数であり、総賞球排出数ではなく、しかも、入賞領域毎に算出されるもでもない。
　また、甲第４号証には、入賞口３，４，５及び６に設けた入賞玉検出センサＳ１，Ｓ２，Ｓ３，Ｓ４によって、それぞれの入賞口３〜６に入賞した入賞玉個数及び全放出景品玉数を演算して表示部に表示することは記載されているが、入賞球計数手段の計数値と賞球数設定手段で設定された排出賞球数とから、各入賞領域への総賞球排出数を入賞領域毎に算出するものではない。
　結局、甲第２又は４号証には、相違点（２）における、本件請求項１に係る発明の構成が記載されておらず，且つ、示唆されてもいない。
　そして、本件請求項１に係る発明は、特許明細書記載の「入賞領域毎に異なる排出賞球数が設定されているような遊技機からも、正確な総賞球排出数をデータ収集することが可能になる。しかも、遊技機からの入賞球検出信号に対応する排出賞球数は賞球数設定手段によって可変設定できるので、多様な遊技機に対応させることができ、汎用性の高いものとなる。」という効果を奏するものである。
　したがって、本件請求項１に係る発明は、甲第１ないし４号証に記載された発明に基いて当業者が容易に発明をすることができたものとすることはできない。
５-1-2．本件請求項２に係る発明について
　本件請求項２に係る発明は、請求項１を引用して記載されたものであり、本件請求項１に係る発明を更に限定したものであるから、本件請求項２に係る発明は、上記「５-1-1．本件請求項１に係る発明について」に記載した理由により甲第１ないし４号証に記載された発明に基いて当業者が容易に発明をすることができたものとすることはできない。
５-2．特許法第３６条違反について
　異議申立人は、具体的には、「本件特許発明の発明の詳細な説明中段落００１７は、
『【０１０７】なお、上述したベース値演算制御手段５２においては、ベース値演算制御手段５２が独自に各入賞信号に基づく排出賞球数を計出するものとしたが、各入賞口によって排出賞球数を異ならしめてあるような場合には
対応できない。そこで、本発明では、各遊技機の
する。なお、『データ収集の対象である遊技機が各入賞領域へ入賞した球を個別に検出して各入賞領域毎に個別に出力する入賞球検出信号に各々対応するように設けられ、各入賞領域への入賞球を計数する入賞球計数手段』と『遊技機から入力される各入賞球検出信号に対応する排出賞球数を可変設定可能な賞球数設定手段』を設けることで、各入賞領域への球入賞に基づく賞球排出数の計数値である総賞球排出数を入賞領域毎に算出する賞球排出数計数手段を実現できる。
総
して総合計賞球排出数を算出
　しかしながら、本件出願は平成３年の出願であり、新規事項の追加が禁止されている平成６年法が適用されるものではないから、上記下線部分が新規事項であり、その補正は補正却下されるべきであるとする、異議申立人の主張は採用することができず、本件特許明細書の記載に異議申立人の主張するような不備があるとはいえない。
　
６．むすび　
　以上のとおりであるから、特許異議の申立ての理由及び証拠方法によっては、本件請求項１ないし２に係る発明についての特許を取り消すことはできない。
　また、他に本件請求項１ないし２に係る発明についての特許を取り消すべき理由を発見しない。
　したがって、本件請求項１ないし２に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年３月２５日（２００２．３．２５）